(57)【要約】【課題】コンパクトな撮影レンズ用入光調節装置を提供する。【解決手段】  中央位置にウィンドー孔（１１）が形成され、該ウィンドー孔（１１）の両側位置に設置孔（１２）が形成され、上側及び下側位置にチャンネル（１４）を形成するための固定ブロック（１３）が設けられるケース（１０）と、  該ケース（１０）の固定ブロック（１３）によってチャンネル（１４）に設置されるフレーム状プレートを有し、内方片側に入光調節フィルタプレート（２１）が設けられると共に、周縁にコイル（２２）が設けられる摺動プレート（２０）と、  前記ケース（１０）の設置孔（１２）に対して同一面に現れる極性が異なるように嵌合される二つの磁性体（３０）とを備えることを特徴としている。【選択図】図１
2005201957.tif 000002
【特許請求の範囲】
【請求項１】
中央位置にウィンドー孔が形成され、該ウィンドー孔の両側位置に設置孔が形成され、上側及び下側位置にチャンネルを形成するための固定ブロックが設けられるケースと、
該ケースの固定ブロックによってチャンネルに設置されるフレーム状プレートを有し、内方片側に入光調節フィルタプレートが設けられると共に、周縁にコイルが設けられる摺動プレートと、
前記ケースの設置孔に対して同一面に現れる極性が異なるように嵌合される二つの磁性体とを備えることを特徴とする撮影レンズ用入光調節装置。
【請求項２】
入光調節フィルタープレートの側に該入光調節フィルタプレートと等しい大きさを有する透明プレートが設置されることを特徴とする請求項１記載の撮影レンズ用入光調節装置。
【請求項３】
摺動プレートと磁性体とをケースに固定するための挟持プレートを備え、
該挟持プレートには、その中央位置であって前記ケースのウィンドー孔に対応する位置にウィンドー孔が形成されていることを特徴とする請求項１又は２に記載の撮影レンズ用入光調節装置。
【発明の詳細な説明】
【技術分野】
【０００１】
本発明は、特に入光調節フィルタプレートの駆動部材の体積を縮減する撮影レンズ用入光調節装置に関するものである。
【背景技術】
【０００２】
入光調節フィルタプレートは撮影レンズの補助具（付属具）として使用されるものであり、特に２４時間に使用されるカメラの撮影レンズでは、昼間は光の強さがより強いため、収録した映像が明るすぎるという問題があるので、入光調節フィルタプレートによって肉眼が見えない光線（例えば、紫外線、赤外線などの非可視光線や、可視光線）の透光量（撮影レンズへの入光量）を調節（制限）することにより、撮影レンズは適量の光を取得することができ、一方、夜間で光の強さがたりないため、肉眼が見えない光線でも映像の解析度を高めることができるので、入光調節フィルタプレートを使用する必要がない。すなわち、入光調節フィルタプレートによって（具体的には、フィルタの種類を変更したり、フィルタの使用、不使用等を選択したり、更にはそれらを組み合わせることによって）、入光量を調節することにより、撮影レンズを介して収録した映像の明度を適正とすることができるのである。
【０００３】
図６及び図７に示すように、従来の撮影レンズ用入光調節装置はケース（６０）と、摺動プレート（７０）と、駆動モータ（８０）を備え、該ケース（６０）の断面がコ字形であり、その一側にウィンドー孔（６１）が形成されると共に、上、下側カメラ機体（符号なし）に設置するための固定ブロック（６２）が設けられ、該ケース（６０）の両側縁に固定ブロック（６３）が設置される。
【０００４】
摺動プレート（７０）は摺動可能にケース（６０）に設置されると共に、固定ブロック（６３）によって挟持され、摺動プレート（７０）に二つのウィンドー孔（７１）が形成され、その一つのウィンドー孔（７１）に入光調節フィルタプレート（７２）が設けられると共に、一側の下部に取付孔（７３）が形成される。
【０００５】
駆動モータ（８０）は前記ケース（６０）の下部に一体に設置されると共に、その中心軸に、自由端が摺動プレート（７０）の取付孔（７３）に設置される連動ロッド（８１）が設けられる。
【０００６】
上記の構造により、入光調節フィルタプレート（７２）を使用する場合、駆動モータ（８０）は連動ロッド（８１）によって摺動プレート（７０）を駆動すると共に、入光調節フィルタプレート（７２）をケース（６０）のウィンドー孔（６１）に位置することにより、透光量（撮影レンズ（図示せず）への光線の入光量）を低減させる。入光調節フィルタプレート（７２）を使用しない場合、駆動モータ（８０）は入光調節フィルタプレート（７２）を有しない摺動プレート（７０）のウィンドー孔（７１）をケース（６０）のウィンドー孔（６１）に移動させるだけで良い。なお、上記の従来技術の撮影レンズ用入光調節装置が記載された特許文献及び非特許文献は、検索した範囲内で、発見することができなかった。
【発明の開示】
【発明が解決しようとする課題】
【０００７】
しかしながら、上記の従来の装置では、駆動モータ（８０）によって摺動プレート（７０）における入光調節フィルタプレート（７２）を移動させるが、該駆動モータ（８０）の体積はケース（６０）より大きいため、監視カメラの体積を有効に縮減することができないので、該監視カメラを好適の場所に設置することができない。
【０００８】
そこで、出願されたのが本発明であって、入光調節フィルタプレートの駆動部材の体積を縮減する、即ちコンパクトな撮影レンズ用入光調節装置を提供することを目的としている。
【課題を解決するための手段】
【０００９】
本願の請求項１の発明は、中央位置にウィンドー孔（１１）が形成され、該ウィンドー孔（１１）の両側位置に設置孔（１２）が形成され、上側及び下側位置にチャンネル（１４）を形成するための固定ブロック（１３）が設けられるケース（１０）と、
該ケース（１０）の固定ブロック（１３）によってチャンネル（１４）に設置されるフレーム状プレートを有し、内方片側に入光調節フィルタプレート（２１）が設けられると共に、周縁にコイル（２２）が設けられる摺動プレート（２０）と、
前記ケース（１０）の設置孔（１２）に対して同一面に現れる極性が異なるように嵌合される二つの磁性体（３０）とを備えることを特徴とする撮影レンズ用入光調節装置を提供し、
本願の請求項２の発明は、入光調節フィルタープレートの側に該入光調節フィルタプレート（２１）と等しい大きさを有する透明プレートが設置されることを特徴とする請求項１記載の撮影レンズ用入光調節装置を提供し、
本願の請求項３の発明は、摺動プレート（２０）と磁性体（３０）とをケース（１０）に固定するための挟持プレートを備え、
該挟持プレートには、その中央位置であって前記ケース（１０）のウィンドー孔（１１）に対応する位置にウィンドー孔（４１）が形成されていることを特徴とする請求項１又は２に記載の撮影レンズ用入光調節装置を提供する。
【発明の効果】
【００１０】
本発明は上記の課題を解決するものであり、摺動プレートにおけるコイルに異なる電流を通電することによって摺動プレートを磁性体へ移動することにより、入光調節フィルタプレートがウィンドー孔に位置されることができるので、駆動モータのような大きくの駆動部材を設置する必要がなく、入光調節フィルタプレートの駆動部材の体積を縮減することが、ひいては、撮影レンズ用入光調節装置をコンパクト化することができる。
【発明を実施するための最良の形態】
【００１１】
以下、添付図面を参照して本発明の好適な実施の形態を詳細に説明する。勿論、下記実施の形態は、本発明の一例に過ぎず、本発明の技術的範囲は、下記実施の形態そのものに何ら限定されるものではない。
【００１２】
図１は本発明に係る撮影レンズ用入光調節装置の斜視図であり、図２は本発明に係る撮影レンズ用入光調節装置の分解斜視図であり、図３は本発明に係る撮影レンズ用入光調節装置の入光調節フィルタプレートがウィンドー孔に位置する状態を示す正面図であり、図４は本発明に係る撮影レンズ用入光調節装置の入光調節フィルタプレートがウィンドー孔から離れる状態を示す正面図であり、図５は本発明に係る撮影レンズ用入光調節装置の使用状態を示す斜視図である。
【００１３】
図１及び図２に示すように、本発明に係る撮影レンズ用入光調節装置は中央にウィンドー孔（１１）が形成され、該ウィンドー孔（１１）の両側に設置孔（１２）が形成され、上、下側にチャンネル（１４）を形成するための固定ブロック（１３）が設けられるケース（１０）と、
大きさがケース（１０）の２/３であると共に、ケース（１０）の固定ブロック（１３）によってチャンネル（１４）に設置されるフレーム状プレートを有し、その一側に大きさがフレーム状プレートの１/２の入光調節フィルタプレート（２１）が設けられると共に、周縁にコイル（２２）が設けられる摺動プレート（２０）と、
相違の磁性が持って夫々ケース（１０）の設置孔（１２）に設置される二つの磁性体（３０）と、
摺動プレート（２０）と磁性体（３０）をケース（１０）に固定するために、ケース（１０）の両側に設置され、その中央にケース（１０）のウィンドー孔（１１）に対するウィンドー孔（４１）が形成される挟持プレート（４０）とを備える。
【００１４】
又、組合の利便性を高めるために、入光調節フィルタプレート（２１）の一側に該入光調節フィルタプレート（２１）の同様の大きさを有する透明プレート（符号なし）が設置されることができる。
【００１５】
図３乃至図５に示すように、本発明に係る撮影レンズ用入光調節装置をカメラ（５０）の撮影レンズ（５１）に使用する場合、主にコイル（２２）を通電することによって磁場が発生され、この磁場と磁性体（３０）との作動により、摺動プレート（２０）を駆動される。例えば、ケース（１０）の一側における磁性体（３０）はＮ極であると共に、他側における磁性体（３０）はＳ極であり、該コイル（２２）はＳ極の磁場を発生する際、該摺動プレート（２０）はＮ極の磁性体（３０）へ移動し、一方、コイル（２２）に反対の電流を通電すると、該コイル（２２）がＮ極の磁場を発生すると共に、該摺動プレート（２０）がＳ極の磁性体（３０）へ移動され、これにより、電流の流れを制御すれば、簡単に摺動プレート（２０）を制御すると共に、入光調節フィルタプレート（２１）をウィンドー孔（１１）に位置させることができるので、駆動モータのような大きくの駆動部材を設置する必要がなく、入光調節フィルタプレートの駆動部材の体積を縮減することができる。
【００１６】
以上、実施例に基づき本発明を説明したが、上記実施例は本発明の趣旨を逸脱しない範囲内で種々の改良変形が可能であることはいうまでもなく、本発明の技術的範囲には当然これらの改良変形も含まれる。
【産業上の利用可能性】
【００１７】
本発明は上記の構造を有するので、摺動プレートにおけるコイルに異なる電流を通電することによって摺動プレートを磁性体へ移動することにより、入光調節フィルタプレートがウィンドー孔に位置されることができるので、駆動モータのような大きくの駆動部材を設置する必要がなく、入光調節フィルタプレートの駆動部材の体積を縮減することができる。
【図面の簡単な説明】
【００１８】
【図１】本発明に係る撮影レンズ用入光調節装置の斜視図である。
【図２】本発明に係る撮影レンズ用入光調節装置の分解斜視図である。
【図３】本発明に係る撮影レンズ用入光調節装置の入光調節フィルタプレートがウィンドー孔に位置する状態を示す正面図である。
【図４】本発明に係る撮影レンズ用入光調節装置の入光調節フィルタプレートがウィンドー孔から離れる状態を示す正面図である。
【図５】本発明に係る撮影レンズ用入光調節装置の使用状態を示す斜視図である。
【図６】従来の撮影レンズ用入光調節装置を示す斜視図である。
【図７】従来の撮影レンズ用入光調節装置の使用状態を示す斜視図である。
【符号の説明】
【００１９】
１０        ケース
１１        ウィンドー孔
１２        設置孔
１３        固定ブロック
１４        チャンネル
２０        摺動プレート
２１        入光調節フィルタプレート
２２        コイル
３０        磁性体
４０        挟持プレート
４１        ウィンドー孔
５０        カメラ
５１        撮影レンズ
６０        ケース
６１        ウィンドー孔
６２        固定ブロック
６３        固定ブロック
７０        摺動プレート
７１        ウィンドー孔
７２        入光調節フィルタプレート
７３        取付孔
８０        駆動モータ
８１        連動ロッド
【図１】
2005201957.tif 000003
【図２】
2005201957.tif 000004
【図３】
2005201957.tif 000005
【図４】
2005201957.tif 000006
【図５】
2005201957.tif 000007
【図６】
2005201957.tif 000008
【図７】
2005201957.tif 000009